(57)【要約】【課題】湯張り運転完了後に水位センサが検出する水位データの信頼性を向上させる。【解決手段】制御装置２８は、湯張り運転が完了したときの完了水位の水位データを取得し記憶する記憶手段３８を設け、記憶手段３８に完了水位の水位データが記憶されていない場合、水位センサ２３で取得した完了水位の水位データを記憶手段３８で記憶したあと、報知部３２で湯張り運転完了を報知するようにし、記憶手段３８に完了水位の水位データが記憶されている場合、報知部３２で湯張り運転完了を報知したあと、水位センサ２３で取得した完了水位の水位データを記憶手段３８で記憶するようにした。【選択図】図２
2020125852.tif 000002
【特許請求の範囲】
【請求項１】
浴槽内の水位を検出する水位センサと、前記浴槽に連通する配管を介して予め任意に定められた設定水位まで湯を供給する湯張り運転を行う湯張り運転制御手段と前記湯張り運転が完了した旨を報知する報知開始手段とを設けた制御装置とを備えた風呂給湯装置において、
前記制御装置は、前記湯張り運転が完了したときの完了水位の水位データを取得し記憶する記憶手段を設け、
前記記憶手段に前記完了水位の水位データが記憶されていない場合、前記水位センサで取得した前記完了水位の水位データを前記記憶手段で記憶したあと、前記報知部で湯張り運転完了を報知するようにし、
前記記憶手段に前記完了水位の水位データが記憶されている場合、前記報知部で湯張り運転完了を報知したあと、前記水位センサで取得した前記完了水位の水位データを前記記憶手段で記憶するようにしたことを特徴とする風呂給湯装置。
【請求項２】
浴室内における人の有無を検出する人感センサと、前記人感センサの検出結果に基づいて、人が入室したか否かを判定する入室判定手段とを設け、
前記水位センサが前記水位データを取得しているときに、前記入室判定手段が人の入室を判定した場合、今回の前記完了水位の水位データを記憶しないようにしたことを特徴とする請求項１記載の風呂給湯装置。
【発明の詳細な説明】
【技術分野】
【０００１】
本発明は、水位センサを備えた風呂給湯装置に関するものである。
【背景技術】
【０００２】
従来より、この種の予め設定された設定温度に混合された湯を、予め設定された設定水位まで湯張りする湯張り運転と、湯張り運転完了後の基準水位から所定の水位が下降したことを水位センサで検出すると基準水位まで補水を行う補水運転とを備えた風呂給湯装置が知られていた。（特許文献１参照）。
【０００３】
また、この種の水位センサは、浴槽水面の水頭圧をセンサ内の受圧素子が受け、その素子のたわみ具合によって水位の検出を行っていた。
【先行技術文献】
【特許文献】
【０００４】
【特許文献１】特開２０１２−１２７５５６号公報
【発明の概要】
【発明が解決しようとする課題】
【０００５】
しかし、この水位センサは、長期使用による水垢などの付着によって、たわみ具合が微妙に変化していき、検出する水位が経年変化していく場合や、湯張り運転完了後に基準水位を取得する前にユーザーが入浴してしまい水位が変化してしまう場合など信頼性の無い水位を記憶してしまうという課題がある。
【０００６】
また、経年変化と水位の取得前に入浴されることを鑑みて、直近の水位データの移動平均をとることと、湯張り運転完了の報知前に水位を取得する方法が考えられるが、報知前に水位の取得動作を行ってしまうと湯張り運転開始から湯張り完了報知までの時間が長くなり、ユーザーとしては煩わしさを感じてしまうという課題があった。
【課題を解決するための手段】
【０００７】
本発明は上記課題を解決するため、浴槽内の水位を検出する水位センサと、前記浴槽に連通する配管を介して予め任意に定められた設定水位まで湯を供給する湯張り運転を行う湯張り運転制御手段と前記湯張り運転が完了した旨を報知する報知開始手段とを設けた制御装置とを備えた風呂給湯装置において、前記制御装置は、前記湯張り運転が完了したときの完了水位の水位データを取得し記憶する記憶手段を設け、前記記憶手段に前記完了水位の水位データが記憶されていない場合、前記水位センサで取得した前記完了水位の水位データを前記記憶手段で記憶したあと、前記報知部で湯張り運転完了を報知するようにし、前記記憶手段に前記完了水位の水位データが記憶されている場合、前記報知部で湯張り運転完了を報知したあと、前記水位センサで取得した前記完了水位の水位データを前記記憶手段で記憶するようにした。
【０００８】
また、浴室内における人の有無を検出する人感センサと、前記人感センサの検出結果に基づいて、人が入室したか否かを判定する入室判定手段とを設け、前記水位センサが前記水位データを取得しているときに、前記入室判定手段が人の入室を判定した場合、今回の前記完了水位の水位データを記憶しないようにした。
【発明の効果】
【０００９】
本発明によれば、過去の湯張り運転完了時の水位データの記憶の有無で、湯張り運転完了の報知と湯張り運転完了時の水位データの記憶の順番を決めることで、水位データの信頼性確保と湯張り時間の短縮を両立させることができる。
【００１０】
また、水位データの取得中に入室判定手段は浴室にユーザーが入室したことを判定すると、入浴に伴う水位変化の可能性から信頼性が確保できないため水位データの取得をキャンセルしているので、確実に信頼性のある水位データだけを記憶することができる。
【図面の簡単な説明】
【００１１】
【図１】本発明の第１実施形態の概略説明図
【図２】本発明の湯張り運転の水位学習についての動作を表すフローチャート
【発明を実施するための形態】
【００１２】
次に、本発明の第１実施形態を図面に基づいて説明する。
１は温水を貯湯する貯湯タンク、２は温水を加熱する加熱手段としてのヒートポンプユニット、３は浴槽である。
【００１３】
４は貯湯タンク１とヒートポンプユニット２を循環可能に接続する加熱循環回路で、加熱循環ポンプ５を有し貯湯タンク１の下部に接続されたヒーポン往き管及び貯湯タンク１上部に接続されたヒーポン戻り管より構成され、貯湯タンク１下部の冷水を、ヒーポン往き管を介してヒートポンプユニット２で加熱し、加熱された高温の温水をヒーポン戻り管で貯湯タンク１上部に戻して貯湯タンク１内に温水を加熱貯湯するものである。なお、貯湯タンク１の外周面には貯湯温度センサ６を有しており、この貯湯温度センサ６が所定温度以上を検出することで貯湯量を検知するものである。
【００１４】
７は貯湯タンク１に水を供給する給水管、８は貯湯タンク１内の温水を出湯する出湯管、９は給水管７から分岐し、貯湯タンク１を迂回する給水バイパス管、１０は給水バイパス管９からの冷水と出湯管８からの温水を設定温度になるように混合する給湯混合弁、１１は混合された設定温度の温水を給湯する給湯管、１２は給湯管１１の端部に設けられる給湯栓である。１３は給湯混合弁１０の下流に設けた給湯温度センサ、１４は給湯量をカウントする給湯流量センサである。なお、１５は水道圧を所定の圧力に減圧する減圧弁、１６は加熱されることによる過圧を逃がす圧力逃し弁である。
【００１５】
１７は風呂循環回路で、貯湯タンク１内の湯水と循環する風呂の湯水とを熱交換させる風呂熱交換器１８と浴槽３とを、浴槽３から風呂熱交換器１８に向かう風呂往き管１７ａ及び風呂熱交換器１８から浴槽３に向かう風呂戻り管１７ｂとで循環可能に接続するものである。そして、１９は浴槽３と風呂循環回路１７を接続する循環口である。
【００１６】
２０は風呂循環回路１７に設けられた風呂循環ポンプ、２１は流水の有無を検出する流水センサ、２２は風呂循環回路１６を流れる風呂の温度を検出する風呂温度センサ、２３は湯水の水圧から浴槽３内の水位を検出する水位センサであり、風呂循環回路１７途中の風呂循環ポンプ２０よりも上流側に設けられている。この水位センサ２３は、湯水の水圧から浴槽３内の水位を検出しているので、循環口１９が露出してしまうと水位検出が行えないため、水位を検出するためには循環口１９よりも水位が上である必要がある。また、ここでは、浴槽水の安定と水位検出で約１分程度の時間を有する。
【００１７】
２４は給湯管１１途中から分岐されて風呂循環回路１７に接続され浴槽３への湯張りを行うための湯張り管、２５はこの湯張り管２４に設けられ浴槽３への湯張りの開始、停止を行う湯張り弁、２６は浴槽３への湯張り量をカウントする風呂流量センサである。
【００１８】
２７はヒートポンプユニット２の加熱制御を行う加熱制御部、２８は給湯および風呂の制御を行う制御装置で、貯湯温度センサ６、給湯温度センサ１３、給湯流量センサ１４、流水センサ２１、風呂温度センサ２２、水位センサ２３、風呂流量センサ２６、の検出値が入力され、加熱循環ポンプ５、給湯混合弁１０、風呂循環ポンプ２０、湯張り弁２６を駆動するものである。
【００１９】
２９は制御装置２８と通信可能で、浴室内に設けられた浴室内リモコンであり、湯張り運転開始や湯張り運転の目標水位である設定水位を設定する操作部３０と、設定内容を表示する表示部３１と、湯張り運転が完了したことを報知する報知部３２と、浴室内における人の有無を検出する人感センサ３３とが設けられている。また３４は、浴室外に設けられた浴室外リモコンであり、浴室内リモコン２９同様に、操作部３０、表示部３１、報知部３２とが設けられている。
【００２０】
人感センサ３３は、検出エリア内の熱源の温度変化量を検出する焦電センサであり、浴室に人がいることを検出する。具体的には、人感センサ３３は、人が移動したときや手足などを動かすことによる検出エリアの温度変化を検出することにより、浴室内に人が在室しているか否かを検出するものであり、人感センサ３３の検出結果に基づいて、制御装置２８に設けられた入室判定手段３５で浴室内への入室と浴室外への退室との判定を行う。
【００２１】
また、制御装置２８には、湯張り運転時の動作を制御する湯張り運転制御手段３６と、湯張り運転が完了した旨を浴室外リモコン３４の報知部３２から報知を開始する報知開始手段３７と、湯張り運転完了時の完了水位の水位データを複数記憶しておく記憶手段３８とが備えられている。
【００２２】
この水位データの記憶は複数回分（ここでは直近の５回分）記憶しておき、複数回分の移動平均を元に湯張り運転完了水位としている。
【００２３】
次に、沸き上げ運転について説明する。
沸き上げ要求があると、制御装置２８は、貯湯タンク１とヒートポンプユニット２を繋ぐ配管の途中にある加熱循環ポンプ５を駆動して、貯湯タンク１内下部から水をくみ上げ、ヒートポンプユニット２で温めて貯湯タンク１上部に戻す動作を続ける事により徐々に貯湯タンク１内の水が高温水へと沸き上げる。
【００２４】
次に、給湯動作ついて説明する。
給湯栓１２が開かれると給水管７から給水され、貯湯タンク１下部に流入すると共に給水バイパス管９を通り、貯湯タンク１上部から押し出された高温水と給水バイパス管９の給水が給湯ミキシング弁１０で混ぜ合わされ、給湯設定温度と給湯サーミスタ１３で検出された温度が同じなるように調整された湯水が給湯栓１２から給湯される。
【００２５】
また、湯張り運転の各種器具の動作について説明する。
浴室内リモコン２９および浴室外リモコン３４の操作部３０の湯張りスイッチが押されると制御装置２８は湯張り弁２５を開弁し、給水管７から給水を供給し、貯湯タンク１下部に流入すると共に給水バイパス管９を通り、貯湯タンク１上部から押し出された高温水と給水バイパス管９の給水が給湯混合弁１０で混ぜ合わされ、風呂設定温度と風呂温度センサ２２で検出された温度が同じになるように調整された湯水が浴槽３に流入されることで湯張りが開始される。そして、風呂流量センサ２６で流れた流量を検出して、流れた流量の合計積算値が湯張り設定量分流れたら制御装置２８が湯張り弁２５を閉状態にすることで湯張り運転を完了し、風呂温度を自動で保温する自動保温運転に移行する。
【００２６】
次に、本発明の湯張り運転の水位学習について図２のフローチャートに基づいて詳しく説明する。
まず、浴室内リモコン２９および浴室外リモコン３４の操作部３０の湯張りスイッチが操作されると（Ｓ１がＹｅｓ）、制御装置２８は湯張り弁２５を開弁し、湯張り運転を開始し（Ｓ２）、風呂設定温度と風呂温度センサ２２で検出された温度が同じになるように調整された温度で湯張りを行う（Ｓ３）。
【００２７】
そして、風呂流量センサ２６で流れた流量を検出して、流れた流量の合計積算値が湯張り設定量分流れたら（Ｓ４がＹｅｓ）、制御装置２８が湯張り弁２５を閉状態にすることで湯張り運転を完了する（Ｓ５がＹｅｓ）。
【００２８】
次に、制御装置２８は、過去の湯張り運転完了時の水位データが記憶手段３８に記憶されているか確認し（Ｓ６）、記憶手段３８に記憶済みであった場合（Ｓ６がＹｅｓ）、湯張り運転が完了したことを報知部３２で報知する（Ｓ７）。
【００２９】
その後、今回の湯張り運転完了時の水位データの取得を開始する（Ｓ８）。
【００３０】
この水位データ取得中は入室判定手段３５で浴室に人が入室したか及び浴室内に人がいるかの判定を行い（Ｓ９）、入室判定手段３５で人が浴室に入室していることを判定した場合は（Ｓ９がＮｏ）、今回の水位データの取得をキャンセルし（Ｓ１０）、自動保温運転を開始する（Ｓ１１）。
【００３１】
また、入室判定手段３５で人が浴室に入室したことを判定せず（Ｓ９がＹｅｓ）、水位データの取得を完了した場合は（Ｓ１２がＹｅｓ）、その取得した水位データを記憶し（Ｓ１３）、自動保温運転を開始する（Ｓ１１）。
【００３２】
このように、過去の湯張り運転完了時の水位データが記憶手段３８に記憶されている場合は、湯張り運転完了までの時間を優先し、先に湯張り完了の報知を行ったあとに水位データの取得を行うので、湯張り運転完了までの時間が短縮され、ユーザーが湯張り運転時間が長いことへのストレスを軽減させることができる。
【００３３】
また、湯張り運転完了の報知を行ったあと、すぐにユーザーが浴室に入室するとは限らず、報知後の水位データ取得中に 入室判定手段３５で浴室への入室が判定されなければ、信頼性のある水位データの取得を行うこともでき、一方で、湯張り運転完了の報知を行ったあと、すぐに入室してきた場合でも、水位データ取得中に入室判定手段３５が浴室への入室を判定すると、信頼性の無い水位データの取得をキャンセルするため、信頼性のある水位データだけを取得することができる。
【００３４】
そして、制御装置２８は、過去の湯張り運転完了時の水位データが記憶手段３８に記憶されているか確認し（Ｓ６）、記憶手段３８に記憶が無かった場合（Ｓ６がＮｏ）、水位データの取得を開始する（Ｓ１４）。ここでは、浴槽水の安定と水位検出で約１分程度の時間を有する。
【００３５】
水位データ取得中に入室判定手段３５は浴室に人が入室したか及び浴室内に人がいるかの判定を行い（Ｓ１５）、入室判定手段３５で人が浴室に入室していることを判定している場合は（Ｓ１５がＮｏ）、今回の水位データの取得をキャンセルし（Ｓ１６）、湯張り運転完了を報知部３２で報知し（Ｓ１７）、自動保温運転を開始する（Ｓ１１）。
【００３６】
また、水位データ取得中に入室判定手段３５は浴室に人が入室したか及び浴室内に人がいるかの判定を行い（Ｓ１５）、入室判定手段３５で人が浴室に入室していることを判定せず（Ｓ１５がＹｅｓ）、水位データの取得を完了した場合は（Ｓ１８がＹｅｓ）、その取得した水位データを記憶し（Ｓ１９）、湯張り運転完了を報知部３２で報知し（Ｓ１７）、自動保温運転を開始する（Ｓ１１）。
【００３７】
このように、過去の湯張り運転完了時の水位データが記憶手段３８に記憶されていない場合は、湯張り運転完了時の水位データの取得を優先し、水位データを取得するまで湯張り運転完了を報知しないことで、水位データの取得中は湯張り運転が未だ完了していないとユーザーに思わせ、ユーザーが浴室に入室するまえに信頼性のある水位データを取得することができる。
【００３８】
また、水位データの取得には約１分程度かかるので、その間に入室判定手段３５は浴室にユーザーが入室したことを判定すると、入浴に伴う水位変化の可能性から信頼性が確保できないため水位データの取得をキャンセルしているので、確実に信頼性のある水位データを記憶することができる。
【００３９】
したがって、過去の湯張り運転完了時の水位データの記憶の有無で、湯張り運転完了の報知と湯張り運転完了時の水位データの記憶の順番を決めることで、水位データの信頼性確保と湯張り時間の短縮を両立させることができる。
【００４０】
なお、本発明は本実施例に限定されるものではなく、要旨を変更しない範囲で改変する事を妨げるものではなく、例えば、今回はヒートポンプ式貯湯給湯機を用いて説明したが、貯湯タンク１内にヒーターを設けたものやバーナなどの熱源で湯水を加熱する給湯機でもよいものである。
【符号の説明】
【００４１】
１      貯湯タンク
３      浴槽
２３    水位センサ
２８    制御装置
２９    浴室内リモコン
３２    報知部
３３    人感センサ
３４    浴室外リモコン
３５    入室判定手段
３６    湯張り運転制御手段
３７    報知開始手段
３８    記憶手段
【図１】
2020125852.tif 000003
【図２】
2020125852.tif 000004